(57)【要約】      （修正有）【課題】夜間に歩行するときに危険を回避することができるリストバンドを提供する。【解決手段】光を照射する光照射手段１２０と、光照射手段１２０の照射方向を調節する調節手段１３０と、周囲に警報を発する警報手段１４０と、を有するリストバンド１０である。光照射手段１２０が、発光ダイオードであり、警報手段１４０が、音発生部を有し、位置計測手段、反射手段、及び防水手段の少なくともいずれかを更に有する。【選択図】図１
0003211320.tif 000002
【実用新案登録請求の範囲】
【請求項１】
光を照射する光照射手段と、
前記光照射手段の照射方向を調節する調節手段と、
周囲に警報を発する警報手段と、
を有することを特徴とするリストバンド。
【請求項２】
前記光照射手段が、発光ダイオードである請求項１に記載のリストバンド。
【請求項３】
前記警報手段が、音発生部を有する請求項１から２のいずれかに記載のリストバンド。
【請求項４】
位置計測手段、反射手段、及び防水手段の少なくともいずれかを更に有する請求項１から３のいずれかに記載のリストバンド。
【請求項５】
前記位置計測手段が、グローバルポジショニングシステムである請求項４に記載のリストバンド。
【考案の詳細な説明】
【技術分野】
【０００１】
本考案は、リストバンドに関する。
【背景技術】
【０００２】
携帯や保管が容易で、かつ手首に着用可能なフラッシュ照明灯が提案されている（例えば、特許文献１参照）。
【０００３】
しかしながら、例えば、雨の日における、夜間、薄暮、又は早朝に犬を散歩させる際、片手にリードを持ち、片手に傘を持つと、上記のフラッシュ照明灯を着用していても、万が一、身に危険が迫った場合、対応できないときがあるという問題がある。
【先行技術文献】
【特許文献】
【０００４】
【特許文献１】特開２００２−０７５００３号公報
【考案の概要】
【考案が解決しようとする課題】
【０００５】
本考案は、従来における前記諸問題を解決し、以下の目的を達成することを課題とする。即ち、本考案は、夜間に歩行するときに危険を回避することができるリストバンドを提供することを目的とする。
【課題を解決するための手段】
【０００６】
前記課題を解決するための手段としては、以下の通りである。即ち、
＜１＞  光を照射する光照射手段と、前記光照射手段の照射方向を調節する調節手段と、周囲に警報を発する警報手段と、を有することを特徴とするリストバンドである。
【０００７】
前記＜１＞に記載のリストバンドが、光を照射する光照射手段と、光照射手段の照射方向を調節する調節手段と、を有することにより、例えば、夜間の歩行時に光の照射方向を調節して進行方向の地面を照らすようにすると、地面の障害物などを発見しやすくなり、危険を回避することができる。また、周囲に警報を発する警報手段を有することにより、身に危険が迫った際に警報手段を作動させて周囲に助けを求めることが可能になるため、危険を回避することができる。
【０００８】
＜２＞  前記光照射手段が、発光ダイオードである前記＜１＞に記載のリストバンドである。
【０００９】
前記＜２＞に記載のリストバンドにおいて、前記光照射手段が発光ダイオードであることにより、リストバンドに搭載された電池の消耗を少なくすることができる。
【００１０】
＜３＞  前記警報手段が、音発生部を有する前記＜１＞から＜２＞のいずれかに記載のリストバンドである。
【００１１】
前記＜３＞に記載のリストバンドにおいて、前記警報手段が前記音発生部を有することにより、前記警報手段を作動させた際に、着用者の周囲に音により危険が迫っていることを第三者に知らせることが可能となるため、危険を回避することができる。
【００１２】
＜４＞  位置計測手段、反射手段、及び防水手段の少なくともいずれかを更に有する前記＜１＞から＜３＞のいずれかに記載のリストバンドである。
【００１３】
前記＜４＞に記載のリストバンドが位置計測手段を有することにより、着用者の位置を計測することが可能になり、着用者の異常な動きを第三者が検知することができると共に、着用者が行方不明になったときに捜索が容易になる。また、前記＜２＞に記載のリストバンドが反射手段を有することにより、夜間の歩行時に自動車などが近づいた場合、自動車などのヘッドライトによる光が反射手段に反射し、当該自動車の運転手が着用者の存在に気付きやすくなり、危険を回避することができる。更に、前記＜２＞に記載のリストバンドが防水手段を有することにより、雨や雪の日での着用も可能となる。また、防水手段を位置計測手段と組み合わせた場合、例えば、豪雨のときに誤って川に転落したときであっても位置計測手段の機能が働くため、着用者の捜索が容易になる。
【００１４】
＜５＞  前記位置計測手段が、グローバルポジショニングシステムである前記＜４＞に記載のリストバンドである。
【００１５】
前記＜５＞に記載のリストバンドにおいて、前記位置計測手段がグローバルポジショニングシステムであることにより、広範な範囲において着用者の位置を計測することができる。
【考案の効果】
【００１６】
本考案によると、従来における問題を解決することができ、夜間に歩行するときに危険を回避することができるリストバンドを提供することができる。
【図面の簡単な説明】
【００１７】
【図１】図１は、本考案のリストバンドの一例を示す概略図である。
【図２】図２は、図１のリストバンドを、別の角度から見たときの概略図である。
【図３】図３は、本考案のリストバンドを夜間の犬の散歩に使用したときの一例を示す説明図である。
【図４】図４は、本考案のリストバンドを夜間の犬の散歩に使用したときの他の一例を示す説明図である。
【考案を実施するための形態】
【００１８】
以下、本考案の一実施例を説明するが、本考案は、この実施例に何ら限定されるものではない。
【実施例】
【００１９】
（リストバンド）
図１は、本考案のリストバンド１０の一例を示す概略図である。図２は、図１のリストバンド１０を、別の角度から見たときの概略図である。
【００２０】
図１及び図２に示すように、リストバンド１０は、バンド本体１００と、筐体１１０と、光照射手段１２０と、調節手段１３０と、警報手段１４０と、反射手段１５０と、を有する。
【００２１】
筐体１１０は、バンド本体１００に固定され、光照射手段１２０及び警報手段１４０を収容する。また、筐体１１０は、図示しない、位置計測手段と、各手段に電力を供給する電池と、を更に収容する。筐体１１０は密閉構造を有しており、これらの手段を収容することにより、筐体１１０自体が防水手段となっている。
【００２２】
これらの手段のうち、本考案のリストバンド１０は、光を照射する光照射手段１２０と、光照射手段１２０の照射方向を調節する調節手段１３０と、周囲に警報を発する警報手段１４０と、を有することにより、例えば、夜間の歩行時に光の照射方向を調節して進行方向の地面を照らすようにすると、地面の障害物などを発見しやすくなり、危険を回避することができる。また、リストバンド１０が周囲に警報を発する警報手段１４０を有することにより、身に危険が迫った際に警報手段１４０を作動させて周囲に助けを求めることが可能になるため、危険を回避することができる。
【００２３】
次に、本考案のリストバンド１０が有する各手段について詳細を説明する。
【００２４】
＜光照射手段＞
光照射手段１２０は、光を照射する手段であり、図１に示すように、光の照射のＯＮ及びＯＦＦを切り換えるスイッチ部１２１を有する。
【００２５】
光照射手段１２０としては、その形状、構造、大きさ、材質などについては特に制限はなく、目的に応じて適宜選択することができるが、発光ダイオード（Ｌｉｇｈｔ  Ｅｍｉｔｔｉｅｄ  Ｄｉｏｄｅ、ＬＥＤ）であることが好ましい。光照射手段１２０が発光ダイオードであると、電池の消耗を少なくすることができる。
【００２６】
＜調節手段＞
調節手段１３０は、光照射手段１２０の照射方向を調節する手段である。
【００２７】
調節手段１３０としては、その形状、構造、大きさ、材質などについては特に制限はなく、目的に応じて適宜選択することができる。
【００２８】
調節手段１３０の構造としては、特に制限はなく、目的に応じて適宜選択することができ、例えば、図１に示すように、蝶番（ヒンジ）の構造が挙げられる。蝶番の構造とする場合、任意の角度で止めることができるフリーストップヒンジ（「トルクヒンジ」と称することもある）を用い、２つの蝶番片のうち一方をリストバンド１０に固定し、他方には光照射手段１２０を配置すると、着用者により他方の蝶番片を回動させることにより光照射手段１２０の照射方向を調節することができる。
【００２９】
ここで、図３及び図４を参照しながら、光照射手段１２０の照射方向を調節することの利点について説明する。
【００３０】
図３及び図４は、本考案のリストバンド１０を夜間の犬の散歩に使用したときの一例を示す説明図であり、図３は犬が進行方向（図３中矢印Ｆで示す方向）に引っ張る力が弱い場合を示しており、図４は、図３の状態よりも進行方向Ｆに犬が引っ張る力が強い場合を示している。
【００３１】
図３に示すように、光照射手段１２０の照射方向（図３中矢印Ａで示す方向）と腕の長さ方向（図３中矢印Ｂで示す方向）とのなす角が角度αとなるように光照射手段１２０の照射方向Ａを調節し、図３中矢印Ｆで示す進行方向における犬の少し先の地面を照らすようにしている。この場合、照射方向Ａを調節した状態において、進行方向Ｆに犬が引っ張る力が強くなっても、図４に示すように、進行方向Ｆにおける犬の更に少し先の地面を照らすことができ、進行方向Ｆに進む速度に合わせて適切な位置に照射することができる。
【００３２】
このように、夜間の歩行時に光の照射方向を調節して進行方向の地面を照らすようにすると、地面の障害物などを発見しやすくなり、危険を回避することができる。
【００３３】
また、雨天時には、傘を持った手の手首に本考案のリストバンドを着用することにより、もう一方の手が自由になり、荷物などを安全に持つことができる。
【００３４】
＜警報手段＞
警報手段１４０は、着用者の周囲に向けて警報を発する手段である。リストバンド１０が警報手段１４０を有することにより、夜間の歩行時に身に危険が迫った際に警報手段１４０を作動させて周囲に助けを求めることが可能になるため、危険を回避することができる。
【００３５】
警報手段１４０としては、その形状、構造、大きさ、材質などについては特に制限はなく、目的に応じて適宜選択することができるが、音発生部を有することが好ましく、例えば、防犯ブザーなどが挙げられる。警報手段１４０が音発生部を有すると、警報手段１４０を作動させた際に、着用者の周囲に音により危険が迫っていることを知らせることができる。なお、図１においては、音発生部であるスピーカーと作動スイッチが一体となって、筐体１１０の側面に配置されている。
【００３６】
＜位置計測手段＞
図示しない位置計測手段は、着用者の位置を計測する手段である。リストバンド１０が位置計測手段を有することにより、着用者の位置を計測することができるため、着用者の異常な動きを第三者が検知することができると共に、着用者が行方不明になったときに捜索が容易になる。
【００３７】
位置計測手段としては、その形状、構造、大きさ、材質などについては特に制限はなく、目的に応じて適宜選択することができるが、グローバルポジショニングシステム（Ｇｒｏｂａｌ  Ｐｏｓｉｔｉｏｎｉｎｇ  Ｓｙｓｔｅｍ、ＧＰＳ）であることが好ましい。位置計測手段がグローバルポジショニングシステムであると、広範な範囲において着用者の位置を計測することができる。
【００３８】
＜反射手段＞
反射手段１５０は、照射された光を反射する手段である。リストバンド１０が反射手段１５０を有することにより、夜間に自動車などが歩行している着用者に近づいた場合、自動車などのヘッドライトによる光が反射手段１５０に反射し、当該自動車の運転手が着用者の存在に気付きやすくなるため、危険を回避することができる。
【００３９】
反射手段１５０としては、その形状、構造、大きさ、材質などについては特に制限はなく、目的に応じて適宜選択することができ、例えば、図２に示すように、リストバンド１０を手首などに巻き付けて固定するためのストッパー部に一体として形成する態様などが挙げられる。
【００４０】
＜防水手段＞
防水手段は、各種手段を防水する手段である。リストバンド１０が防水手段を有することにより、雨や雪の日での着用も可能となる。また、防水手段を位置計測手段と組み合わせた場合、例えば、豪雨のときに誤って川に転落してリストバンド１０が水没しても位置計測手段の機能が働くため、着用者の捜索が容易になる。
【００４１】
防水手段としては、本実施例では、筐体１１０自体を防水手段としたが、これに限ることなく、目的に応じて適宜選択することができる。
【００４２】
バンド本体１００としては、その形状、構造、大きさ、材質などについては、手首に着用することができ、筐体１１０が固定できれば特に制限はなく、目的に応じて適宜選択することができる。
【００４３】
バンド本体１００の形状としては、特に制限はなく、目的に応じて適宜選択することができるが、手首だけでなく腕にも着用することができる形状が好ましい。バンド本体１００が腕にも着用することができる形状であると、ウォーキングやランニングをする際に本考案のリストバンド１０を上腕の上部に着用すれば、手首に着用したときよりも照射方向を安定させることができる。
【００４４】
バンド本体１００の材質としては、特に制限はなく、目的に応じて適宜選択することができるが、雨の日も着用する場合もあるため、耐水性を有することが好ましい。
【００４５】
以上説明したように、本考案のリストバンドにおいて、光を照射する光照射手段と、光照射手段の照射方向を調節する調節手段と、を有することにより、例えば、夜間の歩行時に光の照射方向を調節して進行方向の地面を照らすようにすると、地面の障害物などを発見しやすくなり、危険を回避することができる。また、本考案のリストバンドにおいて、リストバンドの着用者の周囲に警報を発する警報手段を有することにより、夜間の歩行時に身に危険が迫った際に警報手段を作動させて周囲に助けを求めることが可能になるため、危険を回避することができる。
【００４６】
また、暗所の作業においても、本考案のリストバンドを両手首に着用することにより、懐中電灯などを手で持つ必要がないため両手が自由になるほか、作業対象物に両方から光を照射することで作業対象物に陰影ができ、作業対象物が立体的に見えるため昼間の作業条件と同様に行うことができる。また、片腕ごとに照射する方向を調節できるため、それぞれの腕で別の作業を行うこともできる。
【００４７】
更に、子供が塾や習い事の帰りが夜遅い場合、劇場などの場内案内を行う場合、警備員が巡回する場合、夜釣りなどの場合にも、本考案のリストバンドは有用である。
【符号の説明】
【００４８】
１０    リストバンド
１００    バンド本体
１１０    筐体
１２０    光照射手段
１２１    スイッチ部
１３０    調節手段
１４０    警報手段
１５０    反射手段
【図１】
0003211320.tif 000003
【図２】
0003211320.tif 000004
【図３】
0003211320.tif 000005
【図４】
0003211320.tif 000006